【手続補正書】
【提出日】平成17年9月29日(2005.9.29)
【手続補正１】
【補正対象書類名】明細書
【補正対象項目名】全文
【補正方法】変更
【補正の内容】
【書類名】        明細書
【発明の名称】    パチンコ機
【特許請求の範囲】
【請求項１】  外枠に開閉可能に装着される内枠と、
前記内枠の裏側に取り付けられて前面側に発射レールが配設される機構盤と、
前記機構盤の下側に配設されてパチンコ球を発射する発射装置とを備えたパチンコ機において、
前記発射装置は、該発射装置を駆動する駆動手段が組み付けられる組み付け部材を有し、
前記機構盤と前記組み付け部材とを着脱可能に結合すると共に、該機構盤に対して該組み付け部材を位置決めする位置決め手段を備えたことを特徴とするパチンコ機。
【請求項２】  前記位置決め手段は、前記機構盤の所定位置に形成される第１係合部と、
前記組み付け部材の前記第１係合部に対応する位置に形成される第２係合部とを有し、
前記第２係合部を前記第１係合部に係合することを特徴とする請求項１に記載のパチンコ機。
【請求項３】  前記組み付け部材は、前記内枠の裏側に取り付けられることを特徴とする請求項１又は請求項２に記載のパチンコ機。
【請求項４】  前記位置決め手段は、前記組み付け部材の所定位置に形成される第３係合部と、
前記内枠の前記第３係合部に対応する位置に形成される第４係合部とを有し、
前記第３係合部を前記第４係合部に係合することを特徴とする請求項２又は請求項３に記載のパチンコ機。
【発明の詳細な説明】
【０００１】
【発明の属する技術分野】
本発明は、発射レールが設けられる機構盤と発射装置とが裏側に取り付けられるパチンコ機に関し、特に、発射装置の駆動装置が組み付けられるシャーシ基板と機構盤とを位置決め手段を介して着脱可能に結合することによって、発射レールの下側に球送り機構が設けられる場合においても、機構盤の前面に取り付けられる発射レールに対する発射装置の位置決め精度を大きく向上させることができるパチンコ機に関するものである。
【０００２】
【従来の技術】
従来より、内枠の裏側に取り付けられた機構盤の前面に発射レールを設け、この発射レールに対して発射装置を位置決めして取り付けるパチンコ機が種々提案されている。
【０００３】
例えば、実開昭５７−４２８７２号公報に記載されたパチンコ機用球発射装置では、パチンコ機の前面板の裏側に取付けられる第１の基板に打球装置を組み付け、該第１の基板の上方の前面板裏側に固定された遊技機構板の前面に取付けられる第２の基板に発射レールを固設し、前記第１の基板と第２の基板とを位置決め手段を介して着脱可能に結合するように構成されている。
これにより、第１及び第２の基板を前面板、遊技機構板等に取付ける際にこれら基板の取付位置を個々に調整する必要性がなくなり、パチンコ機における球発射装置の組付精度の向上、組付作業性の向上が図られる。
【０００４】
【発明が解決しようとする課題】
しかしながら、上述した実開昭５７−４２８７２号公報に記載されたパチンコ機用球発射装置においては、第１の基板は第２の基板の下端縁部に位置決め手段を介して着脱可能に結合されているため、第２の基板の下側に球送り機構が設けられたパチンコ機においては、第１の基板を第２の基板の下端縁部に位置決め手段介して結合させることができないという問題がある。また、第２の基板には位置決め手段を構成する必要があるため、第２の基板の小型化、即ち、発射レールの取り付け機構の小型化が困難であるという問題がある。
【０００５】
そこで、本発明は、上述した問題点を解決するためになされたものであり、発射装置の駆動装置が組み付けられるシャーシ基板と機構盤とを位置決め手段を介して着脱可能に結合することによって、発射レールの下側に球送り機構が設けられる場合においても、機構盤の前面に取り付けられる発射レールに対する発射装置の位置決め精度を大きく向上させることができると共に、発射装置の組み付け作業性を向上させることができるパチンコ機を提供することを目的とする。また、発射レールの取り付け機構の小型化を図ることができるパチンコ機を提供することを目的とする。
【０００６】
【課題を解決するための手段】
前記目的を達成するため請求項１に係るパチンコ機は、外枠に開閉可能に装着される内枠と、前記内枠の裏側に取り付けられて前面側に発射レールが配設される機構盤と、前記機構盤の下側に配設されてパチンコ球を発射する発射装置とを備えたパチンコ機において、前記発射装置は、該発射装置を駆動する駆動手段が組み付けられる組み付け部材を有し、前記機構盤と前記組み付け部材とを着脱可能に結合すると共に、該機構盤に対して該組み付け部材を位置決めする位置決め手段を備えたことを特徴とする。
【０００７】
このような特徴を有する請求項１に係るパチンコ機においては、外枠に開閉可能に装着された内枠の裏側に機構盤が取り付けられている。そして、この機構盤の前面側に発射レールが配設されると共に、該機構盤の下側にパチンコ球の発射装置が設けられている。また、この発射装置は、駆動手段が組み付けられる組み付け部材が位置決め手段を介して着脱可能に機構盤に結合されている。
これにより、発射装置の駆動手段が組み付けられる組み付け部材は、機構盤に対して位置決め手段を介して所定位置に結合されて設けられるため、発射レールの下側に球送り機構が設けられる場合においても、位置決め手段をこの球送り機構を回避して機構盤の所定位置に設けることができ、機構盤の前面に取り付けられる発射レールに対する発射装置の位置決め精度を大きく向上させることができる。また、該組み付け部材を取り付けるための位置決め手段が、発射レールの取付部に設けられないため、発射レールの取り付け機構の小型化を図ることができる。
【０００８】
また、請求項２に係るパチンコ機は、請求項１に記載のパチンコ機において、前記位置決め手段は、前記機構盤の所定位置に形成される第１係合部と、前記組み付け部材の前記第１係合部に対応する位置に形成される第２係合部とを有し、前記第２係合部を前記第１係合部に係合することを特徴とする。
【０００９】
このような特徴を有する請求項２に係るパチンコ機では、請求項１に記載のパチンコ機において、機構盤の所定位置に形成される第１係合部に組み付け部材の前記第１係合部に対応する位置に形成される第２係合部を前記第１係合部に係合することによって、機構盤に対して発射装置が位置決めされる。
これにより、第２係合部を第１係合部に係合することにより位置決めされるため、発射装置を機構盤に対して容易に位置決めでき、位置決め精度を大きく向上させることができる。
【００１０】
また、本発明のパチンコ機では、前記第１係合部は、第１位置決め突起を有し、前記第２係合部は、前記第１位置決め突起に対応する位置に形成される凹み部を有し、前記凹み部を前記第１位置決め突起に嵌め込むことによって該第２係合部が第１係合部に係合される構成が望ましい。
【００１１】
これにより、第２係合部の凹み部を第１係合部の第１位置決め突起に係合することにより機構盤に対して発射装置の組み付け部材が位置決めされるため、発射装置を機構盤の裏側から容易に位置決めして取り付けることができ、位置決め精度を大きく向上させることができると共に、組み付け作業性の向上を図ることができる。
【００１２】
また、本発明のパチンコ機では、前記凹み部は、貫通孔であることが好ましい。
【００１３】
これにより、前記凹み部は、貫通孔であるため、前記第１位置決め突起を該貫通孔を介して見ながら挿入することができ、発射装置の取り付け作業の迅速化を図ることができる。
【００１４】
また、請求項３に係るパチンコ機は、請求項１又は請求項２に記載のパチンコ機において、前記組み付け部材は、前記内枠の裏側に取り付けられることを特徴とする。
【００１５】
このような特徴を有する請求項３に係るパチンコ機では、請求項１又は請求項２に記載のパチンコ機において、前記組み付け部材は、前記内枠の裏側に取り付けられるため、該組み付け部材を強固に取り付けることができて発射装置の取り付け精度の向上と共に、信頼性の向上を図ることができる。
【００１６】
更に、請求項４に係るパチンコ機は、請求項２又は請求項３に記載のパチンコ機において、前記位置決め手段は、前記組み付け部材の所定位置に形成される第３係合部と、前記内枠の前記第３係合部に対応する位置に形成される第４係合部とを有し、前記第３係合部を前記第４係合部に係合することを特徴とする。
【００１７】
このような特徴を有する請求項４に係るパチンコ機では、請求項２又は請求項３に記載のパチンコ機において、前記組み付け部材の所定位置に形成される第３係合部が、前記内枠の該第３係合部に対応する位置に形成される第４係合部に係合されることによって、機構盤に対して発射装置が位置決めされる。
これにより、発射装置の組み付け部材は機構盤に対して位置決めされると共に、内枠に対して位置決めされるため、該発射装置の機構盤と内枠とに対する位置決め精度が向上され、パチンコ機の品質向上を図ることができる。
【００１８】
また、本発明のパチンコ機では、前記第３係合部は、前面側に突設される第２位置決め突起を有し、前記第４係合部は、前記第２位置決め突起に対応する位置に穿設される凹部を有し、前記第２位置決め突起を前記凹部に嵌入することによって該第３係合部が第４係合部に係合される構成が望ましい。
【００１９】
これにより、機構盤を内枠の裏側に取り付け後、発射装置の組み付け部材を機構盤の裏側から内枠の裏側に取り付けることができるため、発射装置を機構盤の裏側から容易に位置決めして取り付けることができ、位置決め精度を大きく向上させることができると共に、組み付け作業性の向上を図ることができる。また、前記組み付け部材は、前記内枠の裏側に取り付けられるため、該組み付け部材を強固に取り付けることができて発射装置の取り付け精度の向上と共に、信頼性の向上を図ることができる。
【００２０】
また、本発明のパチンコ機では、前記機構盤は、樹脂成形品であることが好ましい。
【００２１】
これにより、前記機構盤は、樹脂成形品であるため、前記第１係合部を任意の位置に精度良く形成することができると共に、製造コストの削減化を図ることができる。
【００２２】
更に、本発明のパチンコ機では、前記組み付け部材は、略平板状のシャーシ基板であることが好ましい。
【００２３】
これにより、前記組み付け部材は、略平板状のシャーシ基板であるため、アルミダイキャストや樹脂成形等によって形成しやすく、製造コストの削減化を図ることができると共に、内枠の裏側に取り付けやすいため、組み付け作業性の向上を図ることができる。
【００２４】
【発明の実施の形態】
以下、本発明に係るパチンコ機について、具体化した第１及び第２実施の形態を図面を参照して詳細に説明する。
先ず、第１実施形態に係るパチンコ機の全体構成について図１及び図２に基づき説明する。図１は第１実施形態に係るパチンコ機全体を示した正面図である。図２は第１実施形態に係るパチンコ機全体を示した背面図である。
【００２５】
図１において、パチンコ機１は、いわゆるＣＲ機（カードリーディング機）と称され、カード式球貸機とパチンコ機１とによって構成され、これらは対をなして設置されるが、図１においては、カード式球貸機の図示を省略している。
このパチンコ機１は、図１に示すように、所定量のパチンコ球を賞球として払い出す、いわゆる第１種パチンコ機である。パチンコ機１は、後述する入賞口、特別図柄表示装置、電動役物及び、ゲート等の各種構造物が遊技盤２上に配設されている。その遊技盤２の下には、不図示の樋を介して排出される賞球を受ける上部受け皿３がスピーカ３Ａを内蔵してプレート４に配設されている。また、この上部受け皿３の中央前面部には、カード式球貸機の操作ボタン３Ｂ、３Ｃ及びカード残高表示装置３Ｄが設けられている。そして、その上部受け皿３の下には、下部受け皿５が配設される。また、上部受け皿３に連通する不図示の球送り機構を介して上部受け皿３のパチンコ球が操作ハンドル６に連結された後述の発射装置２０へ送られるよう構成されている。また、遊技盤２の両肩部には、賞球及び球切れ表示ランプ１０、１０が設けられている。
【００２６】
一方、遊技盤２の前側は、鋼板やステンレス等の金属製のガラス扉９により被覆されており、このガラス扉９は、枠体の前側にヒンジ部材等を介して開閉自在に取り付けられている内枠２３に開閉自在に取り付けられている。また、ガラス扉９には開口部を有する鋼板やステンレス等の金属製のガラス保持枠がスポット溶接等により固着されており、かかるガラス保持枠に装着された２枚のガラスを通して遊技領域を見ることができる。また、ガラス扉９の上部には、遊技中のエラーを表示するエラー表示ランプ７や、「当り」を表示する当り表示ランプ８、８が取り付けられている。
【００２７】
また、パチンコ機１における遊技盤２上の遊技領域の構成について説明する。この遊技領域は、所定厚さの板材をなした遊技盤２上に入賞口等の各構造物が所定の位置に取り付けられ、それを囲むように環状のレール１１が取り付けられて構成されている。このレール１１は、発射されたパチンコ球を遊技領域内に案内する重複して形成した案内路１５を構成し、右肩部にはレール１１に沿って打ち込まれるパチンコ球の進行を制限するための段差部１６を有する。そして、その段差部１６には軸支された返しゴム（図示されていない）が配設されている。
また、遊技領域のほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００２８】
そして、液晶表示器１２の上方の中心線上に入賞口１８が設けられている。入賞口１８の上には、イメージキャラクタである加藤茶のキャラクタ図柄が描かれている。この入賞口１８に入賞すると、所定の個数の賞球が上部受皿３に排出される。また、液晶表示器１２の下方の中心線上に第１種始動口１９が設けられている。この第１種始動口１９に入賞すると液晶表示器１２に表示されている変動図柄群が変動する。
また、変動図柄が変動中に第１種始動口１９に入賞した場合には、入賞個数が４個まで制御回路部に設けられるメモリの保留カウンタに記憶されて変動確定回数として保留される。そして、液晶表示器１２の下端部には、この保留カウンタに記憶されているカウント値が表示される保留ＬＥＤ１３が左右水平方向に４個配置されている。
さらに、液晶表示器１２の下方には、下方入賞口である大入賞口１７が設けられている。この大入賞口１７は、液晶表示器１２において変動図柄が揃って大当たりが発生したとき等に開閉する扉構造を有している。
【００２９】
また、図２に示すように、パチンコ機１は、木製の外枠２２に対して木製の内枠２３がヒンジ部材等を介して開閉自在に取り付けられている。また、この内枠２３の裏面のほぼ中央部には、遊技盤２が前面側から着脱可能なように樹脂製の機構盤２４が取り付けられている。そして、この機構盤２４の片側には合成樹脂製のメインセット盤２５がヒンジ部材等を介して開閉自在に取り付けられている。
【００３０】
そして、パチンコ機１の裏側上部には、上方に開口した賞球タンク２６がメインセット盤２５に固定されている。賞球タンク２６の直上には補給装置が配設され、吐出部が垂直に降りている。この賞球タンク２６は、傾斜した底面に連通孔（不図示）が形成され、その連通孔の下方にはパチンコ球を３列に整列流出し得る傾斜したタンクレール２８が取付けられている。
【００３１】
また、賞球ケース３２へパチンコ球を案内する賞球案内部２９内には、タンクレール２８の下流側のパチンコ球を案内する２列の賞球通路３０が形成されている。また、賞球ケース３２には、各タンクレール２８、賞球通路３０を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
【００３２】
また、貸し球ケース３５へパチンコ球を案内する貸し球案内部３３内には、タンクレール２８の下流側のパチンコ球を案内する１列の貸し球通路３４が形成されている。また、貸し球ケース３５には、各タンクレール２８、貸し球通路３４を通過するパチンコ球の数を確認する確認スイッチ、パチンコ球の送り出しを調節する貸し球払い出しソレノイド等（いずれも不図示）が内装されている。そして、これら賞球タンク２６、タンクレール２８、貸し球案内部３３、貸し球ケース３５、確認スイッチ、及び貸し球払い出しソレノイド等により貸し球払出システムが構成されている。
【００３３】
そして、賞球ケース３２の下流側には排出部が形成され、排出路３６が下端部下方に開口して形成されている。また、この開口部の下方には、上部受け皿３から溢れた賞球やファール球を受けて下部受け皿５に案内する下部受皿ボックス３７がナットによりネジ止めされて内枠２３の裏側に取り付けられている。
【００３４】
また、メインセット盤２５上には、基板ボックス３８Ａ内に配置される主基板３８が、遊技盤裏面を覆う透明なＡＢＳ等の樹脂製のセンターカバー３９の下側に固定されている。この主基板３８には、パチンコ機１の遊技動作などを制御する制御回路が構成されている。
【００３５】
また、主基板３８の前側には、コントロール基板が装着されたコントロールボックス４０が取り付けられている。このコントロール基板は、賞球払い出し及び貸し球払い出し等の制御を行うための制御回路を構成している。
【００３６】
また、コントロールボックス４０の左側には、反復回動自在に取り付けられて供給されるパチンコ球を連続的に叩打する槌４２をカム機構等を介して駆動する発射装置２０がネジ止め等により内枠２３に固定されている。
【００３７】
さらに、メインセット盤２５の上方角部（図２中、右上角部）には、中継基板４３が設けられている。この中継基板４３は、パチンコ機１とホールコンピュータをつなぐ基板である。
【００３８】
次に、発射レール及び発射装置２０等の機構盤２４への取り付けについて図３に基づいて説明する。図３は第１実施形態に係るパチンコ機１の発射レールと発射装置２０の機構盤２４への取り付け状態を模式的に示す正面図である。
図３に示すように、内枠２３の裏側に取り付けられる機構盤２４の中央部には遊技盤２が配設される開口部４５が形成されている。そして、この開口部４５の内側角部には遊技盤２の裏側の角部が当接する遊技盤当接部４５Ａ、４５Ｂ、４５Ｃ、４５Ｄが形成されている。また、対角線上に位置する遊技盤当接部４５Ａ、４５Ｃには位置決めポスト４６Ａ、４６Ｃが立設されている。また、開口部４５の下端縁部のほぼ中央位置には、遊技盤止め部材４７が一端を中心に約９０度回動するように取り付けられている。これにより、この遊技盤止め部材４７をほぼ水平状態になるまで時計方向に倒して遊技盤２を開口部４５内に装着後、該遊技盤止め部材４７を反時計方向に約９０度回動させて垂直状態にすることにより、遊技盤２の下端縁部をこの開口部４５内に固定できる構成になっている。
【００３９】
また、開口部４５の右下側の前面には発射レール４８が固設されている。この発射レール４８は、その延長線上にレール１１の下端部が位置するような傾斜角度とされている。また、この発射レール４８の球発射部の下側の前面部には、発射装置２０の槌４２が待機方向（図３中、右側方向）に移動する際に、この球発射部にパチンコ球を１個供給するように球供給装置（不図示）を作動させる球送りレバー４９が設けられている。
また、開口部４５の左下側の前面にはスピーカ３Ａが取り付けられている。そして、機構盤２４の外周部のほぼ全周には前側端縁部から外側に略直角に延出される板状の延出部２４Ａが形成されている。また、この延出部２４Ａには適所に内枠２３への取付用のための複数の貫通孔２４Ｂが形成されている。さらに、機構盤２４の発射レール４８の右下側の角部（図３中、右下側の角部）の延出部２４Ａは、所定長さ下側に延出されて位置決め用延出部５０が形成されている。そして、この位置決め用延出部５０の下端部近傍位置の裏面には、シャーシ基板位置決めピン５１が裏側方向に立設されている。
【００４０】
また、発射レール４８の下方には、シャーシ基板２０Ｃに発射モータ２０Ａや槌４２等を取り付けた発射装置２０（図４参照）が、内枠２３の裏側に取り付けられている。そして、このシャーシ基板２０Ｃの上端縁部の外側（図３中、右側）角部には、後述のように上方に延出されるシャーシ位置決め部６８（図５参照）が形成され、機構盤２４の右下側に延出される位置決め用延出部５０の裏面を覆っている。また、このシャーシ位置決め部６８のシャーシ基板位置決めピン５１に対向する位置には、後述のように該シャーシ基板位置決めピン５１が嵌入される位置決め孔６９が形成されている（図５、図６参照）。
【００４１】
次に、発射装置２０の概略構成について図４に基づいて説明する。図４は第１実施形態に係るパチンコ機１の発射装置２０の概略構成を示す図で、（ａ）は背面図、（ｂ）は側面図である。
図４（ａ）、（ｂ）に示すように、発射装置２０は、シャーシ基板２０Ｃに槌４２が軸５５を中心として回動可能に支持され、該シャーシ基板２０Ｃの前面側に延出される軸５５に取り付けられるコイルバネ５６により槌４２に打撃力が付与されている。即ち、槌４２はコイルバネ５６に対し同軸に且つシャーシ基板２０Ｃに対し回転自在に位置している。
また、発射モータ２０Ａ及び駆動回路部２０Ｂは、シャーシ基板２０Ｃの裏面に立設される各ポスト５７、５７、５７にネジ止めされる取り付け基板５８に各々ネジ止めにより取り付けられている。該駆動回路部２０Ｂは、操作ハンドル６を介して発射モータ２０Ａへの供給電力を調節する構成になっている。
そして、槌４２にはピン５９が突設されており、発射モータ２０Ａのモータ軸に連結されたカム６０が、このピン５９を叩くことにより槌４２を駆動するようになっている。これにより、遊技者が操作ハンドル６における回転部材の回動量を調節することによってパチンコ球の発射勢の加減を適宜行うことができるようになっている。
また、シャーシ基板２０Ｃの槌４２の下端側に対応する位置には、該槌４２の打撃位置を調整するための調整部材６１が設けられている。さらに、調整部材６１の横側には、操作ハンドル６と接続される接続部材６２が配設されている。
【００４２】
次に、シャーシ基板２０Ｃについて図５に基づいて説明する。図５は第１実施形態に係るパチンコ機１のシャーシ基板２０Ｃを示す図で、（ａ）は背面図、（ｂ）は側面図である。
図５（ａ）、（ｂ）に示すように、シャーシ基板２０Ｃは略四角形の板状に形成されており、ほぼ中央部には、軸５５が取り付けられる貫通孔６５が形成されている。また、該貫通孔６５の横側には、接続部材６２が取り付けられる貫通孔６６が形成されている。そして、各貫通孔６５、６６の上側の背面には、各ポスト５７、５７、５７が突設されている。この各ポスト５７、５７、５７の突出端側には、所定深さのネジ孔が形成されている。
また、シャーシ基板２０Ｃの上端側角部（図５（ａ）中、左上角部）の背面には、機構盤２４の位置決め用延出部５０の幅寸法とほぼ同じ幅で所定厚さのシャーシ位置決め部６８が、シャーシ基板２０Ｃ前面と機構盤２４の位置決め用延出部５０の厚さ寸法の段差を形成するように上方に延出されている。また、このシャーシ位置決め部６８のシャーシ基板位置決めピン５１に対向する位置には、該シャーシ基板位置決めピン５１が嵌入される位置決め孔６９が貫通されている。尚、このシャーシ基板２０Ｃの厚さ寸法は、機構盤２４の位置決め用延出部５０の厚さ寸法より少し大きく形成されている。
また、貫通孔６５の下側の前面には、位置決めピン７１が突設されている。この位置決めピン７１は、後述のようにシャーシ基板２０Ｃを内枠２３の裏面に取り付ける際に、内枠２３の裏面に穿設される位置決め凹部７５に嵌入される（図６参照）。また、シャーシ基板２０Ｃは、アルミダイキャストや樹脂成形等により形成されている。
【００４３】
次に、機構盤２４及び発射装置２０の内枠２３の裏面への取り付けについて図６に基づいて説明する。図６は第１実施形態に係るパチンコ機１の機構盤２４及び発射装置２０の内枠２３の裏面への取り付け状態を模式的に示す要部拡大側断面図である。
図６に示すように、先ず、内枠２３の裏側に機構盤２４が取り付けられる。そして、発射装置２０のシャーシ基板２０Ｃに形成されるシャーシ位置決め部６８を機構盤２４の位置決め用延出部５０の裏面側に位置させ、このシャーシ位置決め部６８に形成される位置決め孔６９を該位置決め用延出部５０の裏面に突設されるシャーシ基板位置決めピン５１に嵌め込む。また、同時に、シャーシ基板２０Ｃの前面側に突設される位置決めピン７１を内枠２３の裏面に穿設される位置決め凹部７５に嵌入させ、該シャーシ基板２０Ｃを内枠２３の裏側にネジ止め等によって固設する。
これにより、発射装置２０は、機構盤２４及び内枠２３に対して位置決めされて、内枠２３の裏面に取り付けられる。即ち、槌４２はシャーシ基板２０Ｃを介して機構盤２４の前面に取り付けられる発射レール４８に対して位置決めされる。
【００４４】
ここで、発射モータ２０Ａ、駆動回路２０Ｂ、槌４２、コイルバネ５６、及びカム６０等は、駆動手段を構成する。また、位置決め用延出部５０、シャーシ基板位置決めピン５１、シャーシ位置決め部６８、位置決め孔６９、位置決めピン７１、及び位置決め凹部７５は、位置決め手段を構成する。また、位置決め用延出部５０及びシャーシ基板位置決めピン５１は、第１係合部を構成する。また、シャーシ位置決め部６８及び位置決め孔６９は、第２係合部を構成する。また、シャーシ基板位置決めピン５１は、第１位置決め突起として機能する。また、位置決め孔６９は、凹み部又は貫通孔として機能する。また、位置決めピン７１は、第３係合部又は第２位置決め突起として機能する。また、位置決め凹部７５は、第４係合部又は凹部として機能する。
【００４５】
以上詳細に説明した通り第１実施形態に係るパチンコ機１では、内枠２３の裏側に取り付けられる機構盤２４の前面に発射レール４８が取り付けられる。また、この発射レール４８の横側の機構盤２４外周部に形成される延出部２４Ａは下側に延出されて、位置決め用延出部５０が形成される。そして、該位置決め用延出部５０の裏面にシャーシ基板位置決めピン５１が突設される。また、内枠２３の裏面の所定位置には位置決め凹部７５が穿設されている。さらに、内枠２３の裏面に取り付けられる発射装置２０のシャーシ基板２０Ｃには、位置決め用延出部５０の裏面を覆うシャーシ位置決め部６８が形成され、このシャーシ位置決め部６８にはシャーシ基板位置決めピン５１が嵌入される位置決め孔６９が貫通されている。また、シャーシ基板２０Ｃの前面には、内枠２３の位置決め凹部７５に対向する位置に位置決めピン７１が突設されている。そして、シャーシ基板２０Ｃの位置決め孔６９を該位置決め用延出部５０の裏面に突設されるシャーシ基板位置決めピン５１に嵌め込み、同時に、シャーシ基板２０Ｃの前面側に突設される位置決めピン７１を内枠２３の裏面に穿設される位置決め凹部７５に嵌入させ、該シャーシ基板２０Ｃを内枠２３の裏側にネジ止め等によって固設する。
【００４６】
したがって、発射装置２０は、機構盤２４及び内枠２３に対して、シャーシ基板２０Ｃに形成される位置決め孔６９及び位置決めピン７１を介して位置決めされ、発射レール４８の下側に球送りレバー４９等の構造物が存在する場合においても、該発射装置２０の内枠２３及び機構盤２４への取り付け精度の向上を図ることができる。即ち、槌４２の発射レール４８に対する位置決め精度の向上を図ることができる。また、発射装置２０を内枠２３と機構盤２４に対して裏側方向から同時に位置決めしつつ取り付けることができるため、組み付け作業性の向上を図ることができる。また、発射レール４８の機構盤２４への取り付け機構の小型化を図ることができる。更に、機構盤２４は樹脂成形で形成することができるため、パチンコ機１の製造コストの削減化を図ることができる。
【００４７】
次に、第２実施形態に係るパチンコ機について図７に基づいて説明する。図７は第２実施形態に係るパチンコ機の発射レール４８と発射装置の機構盤への取り付け状態を模式的に示す正面図である。
第２実施形態に係るパチンコ機の概略構成は、基本的に第１実施形態のパチンコ機１の構成とほぼ同じ構成である（図１乃至図３参照）。但し、機構盤８１の発射レール４８の下側の構成が機構盤２４の構成と異なっている。また、発射装置８４のシャーシ基板８４Ｃの構成が発射装置２４のシャーシ基板２４Ｃの構成と異なっている。従って、以下の説明において第１実施形態におけると同一の部材等については同一の番号を付して説明することとし、また、第２実施形態に特有の構成のみを説明することとする。
【００４８】
図７に示すように、機構盤８１の前面に取り付けられる発射レール４８の下側の外周部に形成される延出部２４Ａの発射レール側の端縁部（図７中、下側外周部の右端縁部）は、発射装置８４側に所定長さ（球送りレバー４９の動作を妨げない長さ）延出されて第２位置決め用延出部８２が形成されている。そして、この第２位置決め用延出部８２の右端部近傍位置の裏面には、第２シャーシ基板位置決めピン８３が裏側方向に立設されている。
【００４９】
次に、発射装置８４のシャーシ基板８４Ｃについて図８に基づいて説明する。図８は第２実施形態に係るパチンコ機の発射装置８４のシャーシ基板８４Ｃを示す図で、（ａ）は背面図、（ｂ）は側面図である。
図８（ａ）に示すように、シャーシ基板８４の上端縁部の左側角部には、第１実施形態のシャーシ基板２４Ｃと同様に上側に延出されるシャーシ位置決め部６８が形成されている。そして、このシャーシ位置決め部６８のシャーシ基板位置決めピン５１に対向する位置には、該シャーシ基板位置決めピン５１が嵌入される位置決め孔６９が貫通されている。
また、このシャーシ基板８４の上端縁部の右側角部には、機構盤８１の第２位置決め用延出部８２に重なる所定厚さの第２シャーシ位置決め部８５が、シャーシ基板８４Ｃ前面と機構盤８１の第２位置決め用延出部８２の厚さ寸法の段差をなすように形成されている。そして、この第２シャーシ位置決め部８５の第２シャーシ基板位置決めピン８３に対向する位置には、該第２シャーシ基板位置決めピン８３が嵌入される第２位置決め孔８６が貫通されている。
尚、このシャーシ基板８４Ｃの厚さ寸法は、機構盤８１の第２位置決め用延出部８２の厚さ寸法より少し大きく形成されている。また、シャーシ基板８４の前面には、位置決めピン７１は形成されていない。また、シャーシ基板８４Ｃは、アルミダイキャストや樹脂成形等により形成されている。
【００５０】
次に、機構盤８１及び発射装置８４の内枠２３の裏面への取り付けについて図９に基づいて説明する。図９は第２実施形態に係るパチンコ機の機構盤８１及び発射装置８４の内枠２３の裏面への取り付け状態を模式的に示す要部拡大側断面図である。
図９に示すように、先ず、内枠２３の裏側に機構盤８１が取り付けられる。そして、発射装置８４のシャーシ基板８４Ｃに形成されるシャーシ位置決め部６８を機構盤８１の位置決め用延出部５０の裏面側に位置させ、このシャーシ位置決め部６８に形成される位置決め孔６９を該位置決め用延出部５０の裏面に突設されるシャーシ基板位置決めピン５１に嵌め込む。また、同時に、発射装置８４のシャーシ基板８４Ｃに形成される第２シャーシ位置決め部８５を機構盤８１の第２位置決め用延出部８２の裏面側に位置させ、この第２シャーシ位置決め部８５に形成される第２位置決め孔８６を該第２位置決め用延出部８２の裏面に突設される第２シャーシ基板位置決めピン８３に嵌め込む。そして、該シャーシ基板８４Ｃを内枠２３の裏側にネジ止め等によって固設する。
これにより、発射装置８４は、機構盤８１に対して位置決めされて、内枠２３の裏面に取り付けられる。即ち、槌４２はシャーシ基板８４Ｃを介して機構盤８１の前面に取り付けられる発射レール４８に対して位置決めされる。
【００５１】
ここで、発射モータ２０Ａ、駆動回路２０Ｂ、槌４２、コイルバネ５６、及びカム６０等は、駆動手段を構成する。また、位置決め用延出部５０、シャーシ基板位置決めピン５１、第２位置決め用延出部８２、第２シャーシ基板位置決めピン８３、シャーシ位置決め部６８、位置決め孔６９、第２シャーシ基板位置決め部８５、及び第２位置決め孔８６は、位置決め手段を構成する。また、位置決め用延出部５０、シャーシ基板位置決めピン５１、第２位置決め用延出部８２、及び第２シャーシ基板位置決めピン８３は、第１係合部を構成する。また、シャーシ位置決め部６８、位置決め孔６９、第２シャーシ基板位置決め部８５、及び第２位置決め孔８６は、第２係合部を構成する。また、シャーシ基板位置決めピン５１及び第２シャーシ基板位置決めピン８３は、第１位置決め突起として機能する。また、位置決め孔６９及び第２位置決め孔８６は、凹み部又は貫通孔として機能する。
【００５２】
以上詳細に説明した通り第２実施形態に係るパチンコ機では、内枠２３の裏側に取り付けられる機構盤８１の前面に発射レール４８が取り付けられる。また、この発射レール４８の横側の機構盤８１外周部に形成される延出部２４Ａは下側に延出されて、位置決め用延出部５０が形成される。そして、該位置決め用延出部５０の裏面にシャーシ基板位置決めピン５１が突設される。また、発射レール４８の下側の機構盤８１外周部に形成される延出部２４Ａは発射レール４８側に延出されて、第２位置決め用延出部８２が形成される。そして、該第２位置決め用延出部８２の裏面に第２シャーシ基板位置決めピン８３が突設される。さらに、内枠２３の裏面に取り付けられる発射装置８４のシャーシ基板８４Ｃには、位置決め用延出部５０の裏面を覆うシャーシ位置決め部６８が形成され、このシャーシ位置決め部６８にはシャーシ基板位置決めピン５１が嵌入される位置決め孔６９が貫通されている。また、シャーシ基板８４Ｃには、第２位置決め用延出部８２の裏面を覆う第２シャーシ位置決め部８５が形成され、この第２シャーシ位置決め部８５には第２シャーシ基板位置決めピン８３が嵌入される第２位置決め孔８６が貫通されている。そして、シャーシ基板８４Ｃの位置決め孔６９を該位置決め用延出部５０の裏面に突設されるシャーシ基板位置決めピン５１に嵌め込み、同時に、第２位置決め孔８６を該第２位置決め用延出部８２の裏面に突設される第２シャーシ基板位置決めピン８３に嵌め込み後、該シャーシ基板８４Ｃを内枠２３の裏側にネジ止め等によって固設する。
【００５３】
したがって、発射装置８４は、機構盤８１に対して、シャーシ基板８４Ｃに形成される位置決め孔６９及び第２位置決め孔８６を介して位置決めされ、発射レール４８の下側に球送りレバー４９等の構造物が存在する場合においても、該発射装置８４の内枠２３及び機構盤８１への取り付け精度の向上を図ることができる。即ち、槌４２の発射レール４８に対する位置決め精度の向上を図ることができる。また、発射装置８４を機構盤８１に対して裏側方向から位置決めしつつ取り付けることができるため、組み付け作業性の向上を図ることができる。また、発射レール４８の機構盤８１への取り付け機構の小型化を図ることができる。さらに、機構盤８１は樹脂成形で形成することができるため、パチンコ機１の製造コストの削減化を図ることができる。
【００５４】
尚、本発明は、前記各実施形態に限定されるものではなく、本発明の要旨を逸脱しない範囲内で種々の改良、変形が可能であることは勿論である。
例えば、各実施形態では、各機構盤２４、８１に各シャーシ基板位置決めピン５１、８３を設け、各シャーシ基板２０Ｃ、８４Ｃに各位置決め孔６９、８６を設けたが、各機構盤２４、８１に各位置決め孔６９、８６を形成し、各シャーシ基板２０Ｃ、８４Ｃに各シャーシ基板位置決めピン５１、８３を形成する構成にしてもよい。
また、各実施形態では、発射モータ２０Ａや駆動回路部２０Ｂ等は、略平板状の各シャーシ基板２０Ｃ、８４Ｃに取り付け基板５８を介して取り付けられているが、該各シャーシ基板２０Ｃ、８４Ｃを箱状体や筒状体にし、この中に収納する構成にしてもよい。
【００５５】
【発明の効果】
以上説明した通り請求項１のパチンコ機では、外枠に開閉可能に装着された内枠の裏側に機構盤が取り付けられている。そして、この機構盤の前面側に発射レールが配設されると共に、該機構盤の下側にパチンコ球の発射装置が設けられている。また、この発射装置は、駆動手段が組み付けられる組み付け部材が位置決め手段を介して着脱可能に機構盤に結合されている。
これにより、発射装置の駆動手段が組み付けられる組み付け部材は、機構盤に対して位置決め手段を介して所定位置に結合されて設けられるため、発射レールの下側に球送り機構が設けられる場合においても、位置決め手段をこの球送り機構を回避して機構盤の所定位置に設けることができ、機構盤の前面に取り付けられる発射レールに対する発射装置の位置決め精度を大きく向上させることができるパチンコ機を提供することができる。また、該組み付け部材を取り付けるための位置決め手段が、発射レールの取付部に設けられないため、発射レールの取り付け機構の小型化を図ることができるパチンコ機を提供することができる。
【００５６】
また、請求項２に係るパチンコ機では、請求項１に記載のパチンコ機において、機構盤の所定位置に形成される第１係合部に組み付け部材の前記第１係合部に対応する位置に形成される第２係合部を前記第１係合部に係合することによって、機構盤に対して発射装置が位置決めされる。
これにより、第２係合部を第１係合部に係合することにより位置決めされるため、発射装置を機構盤に対して容易に位置決めでき、位置決め精度を大きく向上させることができるパチンコ機を提供することができる。
【００５７】
【００５８】
【００５９】
また、請求項３に係るパチンコ機では、請求項１又は請求項２に記載のパチンコ機において、前記組み付け部材は、前記内枠の裏側に取り付けられるため、該組み付け部材を強固に取り付けることができて発射装置の取り付け精度の向上と共に、信頼性の向上を図ることができるパチンコ機を提供することができる。
【００６０】
更に、請求項４に係るパチンコ機では、請求項２又は請求項３に記載のパチンコ機において、前記組み付け部材の所定位置に形成される第３係合部が、前記内枠の該第３係合部に対応する位置に形成される第４係合部に係合されることによって、機構盤に対して発射装置が位置決めされる。
これにより、発射装置の組み付け部材は機構盤に対して位置決めされると共に、内枠に対して位置決めされるため、該発射装置の機構盤と内枠とに対する位置決め精度が向上され、パチンコ機の品質向上を図ることができるパチンコ機を提供することができる。
【００６１】
【００６２】
【００６３】
【図面の簡単な説明】
【図１】
第１実施形態に係るパチンコ機全体を示した正面図である。
【図２】
第１実施形態に係るパチンコ機全体を示した背面図である。
【図３】
第１実施形態に係るパチンコ機の発射レールと発射装置の機構盤への取り付け状態を模式的に示す正面図である。
【図４】
第１実施形態に係るパチンコ機の発射装置の概略構成を示す図で、（ａ）は背面図、（ｂ）は側面図である。
【図５】
第１実施形態に係るパチンコ機のシャーシ基板を示す図で、（ａ）は背面図、（ｂ）は側面図である。
【図６】
第１実施形態に係るパチンコ機の機構盤及び発射装置の内枠の裏面への取り付け状態を模式的に示す要部拡大側断面図である。
【図７】
第２実施形態に係るパチンコ機の発射レールと発射装置の機構盤への取り付け状態を模式的に示す正面図である。
【図８】
第２実施形態に係るパチンコ機の発射装置のシャーシ基板を示す図で、（ａ）は背面図、（ｂ）は側面図である。
【図９】
第２実施形態に係るパチンコ機の機構盤及び発射装置の内枠の裏面への取り付け状態を模式的に示す要部拡大側断面図である。
【符号の説明】
１                パチンコ機
２０、８４        発射装置
２０Ｃ、８４Ｃ    シャーシ基板
２３              内枠
２４、８１        機構盤
２４Ａ            延出部
４２              槌
４８              発射レール
４９              球送りレバー
５０              位置決め用延出部
５１              シャーシ基板位置決めピン
６８              シャーシ位置決め部
６９              位置決め孔
７１              位置決めピン
７５              位置決め凹部
８２              第２位置決め用延出部
８３              第２シャーシ基板位置決めピン
８５              第２シャーシ位置決め部
８６              第２位置決め孔